(57)【特許請求の範囲】
【請求項１】
縦長の複数のハング板挿入穴が穿設された紙製の背板と、各ハング板挿入穴に挿入される紙製ハング板とを有すること、
紙製ハング板は、紙製背板の前面に突出する上部の強度梁部と、この強度梁部の下方に延長方向に位置をずらせて複数形成した吊下フックを有する連続吊下フック部と、紙製背板のハング板挿入穴に挿入されて該背板の背面に突出する背面突出部とを有すること、及び
紙製ハング板には、上記背面突出部の前方に背板挿入溝が形成されていること、
を特徴とする商品陳列ハンガー。
【請求項２】
縦長の複数のハング板挿入穴が穿設された紙製の背板と、各ハング板挿入穴に挿入される紙製ハング板とを有すること、
紙製ハング板は、紙製背板の前面に突出する上部の強度梁部と、この強度梁部の下方に延長方向に位置をずらせて複数形成した吊下フックを有する連続吊下フック部と、紙製背板のハング板挿入穴に挿入されて該背板の背面に突出する背面突出部とを有すること、及び
紙製背板には、ハング板挿入穴と対をなす傾き防止穴が形成されており、紙製ハング板には、背面突出部の前方に、下端部にこの傾き防止穴に嵌まる傾き防止突起を有する、上記ハング板挿入穴より縦長の縦長強度部が形成されていること、
を特徴する商品陳列ハンガー。
【請求項３】
縦長の複数のハング板挿入穴が穿設された紙製の背板と、各ハング板挿入穴に挿入される紙製ハング板とを有すること、
紙製ハング板は、紙製背板の前面に突出する上部の強度梁部と、この強度梁部の下方に延長方向に位置をずらせて複数形成した吊下フックを有する連続吊下フック部と、紙製背板のハング板挿入穴に挿入されて該背板の背面に突出する背面突出部とを有すること、及び
紙製ハング板の連続吊下フック部は、一方の紙製ハング板の吊下フックの凹部が他方の紙製ハング板の吊下フックの凸部となるように、互いに入れ子形状とした２枚セットで形成される形状であること、
を特徴とする商品陳列ハンガー。
【請求項４】
縦長の複数のハング板挿入穴が穿設された紙製の背板と、各ハング板挿入穴に挿入される紙製ハング板とを有すること、
紙製ハング板は、紙製背板の前面に突出する上部の強度梁部と、この強度梁部の下方に延長方向に位置をずらせて複数形成した吊下フックを有する連続吊下フック部と、紙製背板のハング板挿入穴に挿入されて該背板の背面に突出する背面突出部とを有すること、及び
紙製ハング板は、結合板部の左右に折曲可能に結合された一対がセットとされ、この一対の紙製ハング板と結合板部は、打ち抜き状態では平面状をなし、折曲状態で、紙製ハング板の背面突出部を紙製背板のハング板挿入穴に挿入したとき、結合板部は、該紙製背板の前面に位置すること、
を特徴とする商品陳列ハンガー。
【請求項５】
縦長の複数のハング板挿入穴が穿設された紙製の背板と、各ハング板挿入穴に挿入される紙製ハング板とを有すること、
紙製ハング板は、紙製背板の前面に突出する上部の強度梁部と、この強度梁部の下方に延長方向に位置をずらせて複数形成した吊下フックを有する連続吊下フック部と、紙製背板のハング板挿入穴に挿入されて該背板の背面に突出する背面突出部とを有すること、及び
上記強度梁部と連続吊下フック部は、結合板部の左右に折曲可能に結合された左右の縦長背面突出部に上下方向に位置を異ならせて複数が一体に形成された紙製ハング板ユニットとして設けられており、この紙製ハング板ユニットは、左右の縦長背面突出部を含む複数の紙製ハング板及び結合板部が打ち抜き状態では平面状をなし、折曲状態で、上記強度梁部と連続吊下フック部を紙製背板のハング板挿入穴に挿入したとき、縦長背面突出部及び結合板部は、該紙製背板の背面に位置すること、
を特徴とする商品陳列ハンガー。
【請求項６】
請求項５記載の商品陳列ハンガーにおいて、結合板部は、上下方向に複数が設けられ、上下の少なくとも一対の結合板部に折曲可能に、折曲状態で、左右の縦長背面突出部に結合される折曲状態維持板部が形成されている商品陳列ハンガー。
【発明の詳細な説明】
【技術分野】
【０００１】
本発明は、商品陳列ハンガーに関し、特に全てを紙製とすることができる商品陳列ハンガーに関する。
【背景技術】
【０００２】
例えばスーパーやコンビニ店で陳列デバイスとして使用されている商品陳列ハンガーは従来、紙製の背板から、複数の金属製または合成樹脂製のハングバーを突出させる構成であった。商品には、ハングバーを挿通する穴又はループが存在し、一般的に１本のハングバーの長さ方向に複数が陳列される。
【先行技術文献】
【特許文献】
【０００３】
【特許文献１】特開平08-191742号公報
【特許文献２】特開2006-212301号公報
【発明の概要】
【発明が解決しようとする課題】
【０００４】
しかし、金属製または合成樹脂製の棒状のハングバー（フック）は、背板と一緒に焼却処分することができないという問題があった。合成樹脂材料では、焼却処分で有害物質が発生するおそれがある。また、棒状のハングバーに穴またはループで垂下された複数の商品は、前方からしか取り出すことができないので商品取出（交換）の自由度が低い。後にある商品は、前方の商品を外してからでないと取り出せない。このため、１本のハングバーには、いきおい同一の商品を吊すことを余儀なくされている。
【０００５】
本発明は、背板だけでなく、ハングバーも紙製として、一緒に焼却処分ができる商品陳列ハンガーを得ることを目的とする。本発明は特に、紙製のハング板でありながら、十分な強度を得ることができ、複数の垂下商品を陳列でき、しかも前後いずれの商品もその位置を問わずに取り出すことができる商品取出の自由度があるハング板を含む商品陳列ハンガー得ることを目的とする。
【課題を解決するための手段】
【０００６】
本発明の商品陳列ハンガーは、紙製の背板と、この紙製の背板に装着される紙製ハング板とを構成要素とする。紙製背板には、縦長の複数のハング板挿入穴が穿設されている。紙製ハング板は、紙製背板の前面に突出する上部の強度梁部と、この強度梁部の下方に延長方向に位置をずらせて複数形成した吊下フックを有する連続吊下フック部と、紙製背板のハング板挿入穴に挿入されて該背板の背面に突出する背面突出部と、背面突出部の前方に位置する背板挿入溝と、を有している。
【０００８】
本発明の商品陳列ハンガーは、別の態様では、縦長の複数のハング板挿入穴が穿設された紙製の背板と、各ハング板挿入穴に挿入される紙製ハング板とを有すること、紙製ハング板は、紙製背板の前面に突出する上部の強度梁部と、この強度梁部の下方に延長方向に位置をずらせて複数形成した吊下フックを有する連続吊下フック部と、紙製背板のハング板挿入穴に挿入されて該背板の背面に突出する背面突出部とを有すること、及び紙製背板には、ハング板挿入穴と対をなす傾き防止穴が形成されており、紙製ハング板には、背面突出部の前方に、下端部にこの傾き防止穴に嵌まる傾き防止突起を有する、上記ハング板挿入穴より縦長の縦長強度部が形成されていること、を特徴している。
【０００９】
本発明の商品陳列ハンガーは、さらに別の態様では、縦長の複数のハング板挿入穴が穿設された紙製の背板と、各ハング板挿入穴に挿入される紙製ハング板とを有すること、紙製ハング板は、紙製背板の前面に突出する上部の強度梁部と、この強度梁部の下方に延長方向に位置をずらせて複数形成した吊下フックを有する連続吊下フック部と、紙製背板のハング板挿入穴に挿入されて該背板の背面に突出する背面突出部とを有すること、及び紙製ハング板の連続吊下フック部は、一方の紙製ハング板の吊下フックの凹部が他方の紙製ハング板の吊下フックの凸部となるように、互いに入れ子形状とした２枚セットで形成される形状であること、を特徴としている。
【００１０】
本発明の商品陳列ハンガーは、また別の態様では、縦長の複数のハング板挿入穴が穿設された紙製の背板と、各ハング板挿入穴に挿入される紙製ハング板とを有すること、紙製ハング板は、紙製背板の前面に突出する上部の強度梁部と、この強度梁部の下方に延長方向に位置をずらせて複数形成した吊下フックを有する連続吊下フック部と、紙製背板のハング板挿入穴に挿入されて該背板の背面に突出する背面突出部とを有すること、及び紙製ハング板は、結合板部の左右に折曲可能に結合された一対がセットとされ、この一対の紙製ハング板と結合板部は、打ち抜き状態では平面状をなし、折曲状態で、紙製ハング板の背面突出部を紙製背板のハング板挿入穴に挿入したとき、結合板部は、該紙製背板の前面に位置すること、を特徴としている。
【００１１】
本発明の商品陳列ハンガーは、さらに別の態様では、縦長の複数のハング板挿入穴が穿設された紙製の背板と、各ハング板挿入穴に挿入される紙製ハング板とを有すること、紙製ハング板は、紙製背板の前面に突出する上部の強度梁部と、この強度梁部の下方に延長方向に位置をずらせて複数形成した吊下フックを有する連続吊下フック部と、紙製背板のハング板挿入穴に挿入されて該背板の背面に突出する背面突出部とを有すること、及び上記強度梁部と連続吊下フック部は、結合板部の左右に折曲可能に結合された左右の縦長背面突出部に上下方向に位置を異ならせて複数が一体に形成された紙製ハング板ユニットとして設けられており、この紙製ハング板ユニットは、左右の縦長背面突出部を含む複数の紙製ハング板及び結合板部が打ち抜き状態では平面状をなし、折曲状態で、上記強度梁部と連続吊下フック部を紙製背板のハング板挿入穴に挿入したとき、縦長背面突出部及び結合板部は、該紙製背板の背面に位置すること、を特徴としている。
【００１２】
この態様では、結合板部は、上下方向に複数を設け、上下の少なくとも一対の結合板部に折曲可能に、折曲状態で、左右の縦長背面突出部に結合される折曲状態維持板部を形成することが望ましい。
【発明の効果】
【００１３】
本発明の商品陳列ハンガーによれば、全てを紙製としながら、必要な強度を得ることができ、さらに、吊下商品を前後位置を問わず出し入れすることができる。
【図面の簡単な説明】
【００１４】
【図１】本発明による商品陳列ハンガーの第一の実施形態を示す紙製背板と紙製ハング板の組立状態の斜視図である。
【図２】第一の実施形態の紙製ハング板の打ち抜き状態の平面図である。
【図３】本発明による商品陳列ハンガーの第二の実施形態を示す紙製背板と紙製ハング板の組立状態の斜視図である。
【図４】第二の実施形態の一対セット紙製ハング板の打ち抜き状態の平面図である。
【図５】本発明による商品陳列ハンガーの第三の実施形態を示す紙製背板と紙製ハング板ユニットの組立前の斜視図である。
【図６】同組立後の斜視図である。
【図７】第三の実施形態の紙製ハング板ユニットの打ち抜き状態の平面図である。
【図８】紙製ハング板ユニットの折曲（組立）途中の斜視図である。
【図９】同別の角度から見た斜視図である。
【発明を実施するための形態】
【００１５】
図１、図２は、本発明による全紙製商品陳列ハンガー１００の第一の実施形態を示している。本ハンガー１００は、紙製背板１０と紙製ハング板２０からなっている。紙製背板１０は、厚さ１ないし２ｍｍ程度の（形状保持性を有する）紙（例えば合紙）から構成されており、上下左右に整列させて、対をなす複数の縦長のハング板挿入穴１１と傾き防止穴１２が形成されている。また上部中央には、吊下穴１３が形成されている。
【００１６】
紙製ハング板２０は、紙製背板１０と同様に、厚さ１ないし２ｍｍ程度の（形状保持性を有する）紙（例えば合紙）からなるもので、上部の強度梁部２１と、この強度梁部２１の下部に形成した連続吊下フック部２２と、強度梁部２１と連続吊下フック部２２の後方に形成した、ハング板挿入穴１１より縦長の縦長強度部（位置決め部）２３と、ハング板挿入穴１１に嵌まる背面突出部２４とを有し、縦長強度部２３と背面突出部２４の間に、下方から背板挿入溝２５が形成されている。背面突出部２４は、紙製背板１０のハング板挿入穴１１に挿入できるのに対し、縦長強度部２３の縦方向長さは、ハング板挿入穴１１の縦方向長さより長く、その下端部に、紙製背板１０の傾き防止穴１２に嵌まる傾き防止突起２３ａが形成されている。
【００１７】
なお、本発明でいう「紙製」とは、全体が純粋な紙からなる場合は勿論、紙に紙以外のもの（例えば合成樹脂材料）が少量含まれていても、焼却処分したとき、有害物質（排出を法規制されている物質）が発生しない材料であれば、「紙製」として含む。
【００１８】
連続吊下フック部２２は、強度梁部２１の延長方向（長さ方向）に位置をずらせて形成した複数（図示例では３個）の吊下フック２２ａを有している。各吊下フック２２ａは、前方に滑らかに屈曲した同一の鉤型形状をしており、吊下商品ＳのループＲ（または穴）を個別に係止することができる。
【００１９】
以上の紙製ハング板２０は、図２に示すように、一対の紙製ハング板２０の一方の吊下フック２２ａの凹部が、他方の吊下フック２２ａの凸部となるように、互いに入れ子形状とした２枚セットで形成することが好ましい（できる）。
【００２０】
以上の紙製背板１０と紙製ハング板２０は、紙製背板１０のハング板挿入穴１１に紙製ハング板２０の背面突出部２４を挿入すると、縦長強度部２３が紙製背板１０の前面に当接し挿入位置が規制される。この状態で紙製ハング板２０を背板挿入溝２５に従って下方にスライドさせると、傾き防止突起２３ａが傾き防止穴１２に嵌まる。この作業を紙製背板１０上の全てのハング板挿入穴１１（と傾き防止穴１２）に対して行うことで、全紙製商品陳列ハンガー１００として完成する。この商品陳列ハンガー１００を組立状態で吊下穴１３を利用して店内に吊り下げ、各紙製ハング板２０の吊下フック２２ａに、ループＲを介して吊下商品Ｓを吊り下げる（または吊下フック２２ａを吊下商品Ｓに穿けた穴に通して吊り下げる）。複数の吊下フック２２ａは、紙製ハング板２０（強度梁部２１）の長さ方向に独立しているので、前後を問わず、自由に吊下商品Ｓを出し入れすることができる。紙製ハング板２０の縦方向長さ（幅）は、吊下商品Ｓの重量に応じ、充分な強度が得られるように定める。
【００２１】
図３と図４は、本発明の第二の実施形態を示している。この実施形態では、一対の紙製ハング板２０を、結合板部２６の左右に上下方向の折曲線２６ａに沿って折曲可能に設けている。この一対セット紙製ハング板３０は、図４に示すように、打ち抜き状態では平面状であり、折曲線２６ａに沿い紙製ハング板２０と結合板部２６とが直交するように折曲した状態で、左右の背面突出部２４を紙製背板１０の左右のハング板挿入穴１１に挿入し、同様に組み立てることができる。組立状態では、図３に示すように、結合板部２６が紙製背板１０の前面に位置することとなる。
【００２２】
図５ないし図９は、本発明の第三の実施形態を示している。この実施形態は、
１）第一の実施形態における紙製ハング板２０の背面突出部２４を縦長として紙製背板１０のほぼ全長に渡る縦長背面突出部２４Ｓとし、この縦長背面突出部２４Ｓを上下の複数の結合板部２７の左右に上下方向の折曲線２７ａに沿って折曲可能に設けた点、
２）左右の縦長背面突出部２４Ｓに上下方向位置を異ならせて強度梁部２１及び連続吊下フック部２２を設け、縦長強度部２３（紙製背板１０の傾き防止穴１２）を廃止した点（強度梁部２１と連続吊下フック部２２を紙製背板１０の背面からハング板挿入穴１１に挿入可能とした点）、
３）左右の縦長背面突出部２４Ｓ上の複数の強度梁部２１と連続吊下フック部２２は、上下方向位置が異なる千鳥状に配置されており、紙製背板１０上のハング板挿入穴１１もこれに対応して千鳥状に配置されている点、
４）上下の結合板部２７に、折曲線２７ａと直交する左右方向の折曲線２７ｂに沿って折曲可能に折曲状態維持板部２８を形成し、この折曲状態維持板部２８の左右両端部に、折曲状態で、縦長背面突出部２４Ｓに形成した係止穴２９に係止される係止突起２８Ｓを形成した点、及び
５）縦長背面突出部２４Ｓと強度梁部２１（連続吊下フック部２２）との境界部に、背板挿入溝２５Ｇを形成した点、
において、第一の実施形態と異なる。
【００２３】
この実施形態では、以上の要素を有する紙製ハング板ユニット４０が、図７のように平面状態で打ち抜かれる。この紙製ハング板ユニット４０は、その結合板部２７の左右の縦長背面突出部２４Ｓを、図８、図９のように、折曲線２７ａ、２７ｂに沿って折曲し、折曲状態維持板部２８の係止突起２８Ｓを係止穴２９に挿入係止することで、組み立てられる。この紙製ハング板ユニット４０の折曲組立状態で、全ての強度梁部２１と連続吊下フック部２２を紙製背板１０の裏面から対応するハング板挿入穴１１に挿入し（図５）、縦長背面突出部２４Ｓが紙製背板１０の背面に当接したら、紙製ハング板ユニット４０をハング板挿入穴１１に対してスライドさせ、背板挿入溝２５Ｇに紙製背板１０を嵌め込むことで、全体の組立が完了する（図６）。図８、図９は、組立途中の状態を示している。この第三の実施形態では、組立状態の紙製ハング板ユニット４０の強度（形状保持性）が第一の実施形態の紙製ハング板２０、あるいは第二の実施形態の一対セット紙製ハング板３０の強度より高いので、紙製背板１０を紙製ハングユニット４０の厚さより薄くすることができる。
【００２４】
第三の実施形態では、上下の結合板部２７だけに、折曲線２７ａと直交する左右方向の折曲線２７ｂに沿って折曲可能に折曲状態維持板部２８を形成したが、より多数（全部）の結合板部２７に折曲状態維持板部２８を形成してもよい。また、第二、第三の実施形態では、連続吊下フック部２２の吊下フック２２ａの数を４個としているが、同フックの数は、適宜増減することができる。
【符号の説明】
【００２５】
１００  全紙製商品陳列ハンガー
１０  紙製背板
１１  ハング板挿入穴
１２  傾き防止穴
１３  吊下穴
２０  紙製ハング板
２１  強度梁部
２２  連続吊下フック部
２２ａ  吊下フック
２３  縦長強度部
２３ａ  傾き防止突起
２４  背面突出部
２４Ｓ  縦長背面突出部
２５  ２５Ｇ  背板挿入溝
２６  ２７  結合板部
２６ａ  ２７ａ  ２７ｂ  折曲線
２８  折曲状態維持板部
２８Ｓ  係止突起
２９  係止穴
３０  一対セット紙製ハング板
４０  紙製ハング板ユニット
Ｓ  吊下商品
Ｒ  ループ
【図１】
0005588166.tif 000002
【図２】
0005588166.tif 000003
【図３】
0005588166.tif 000004
【図４】
0005588166.tif 000005
【図５】
0005588166.tif 000006
【図６】
0005588166.tif 000007
【図７】
0005588166.tif 000008
【図８】
0005588166.tif 000009
【図９】
0005588166.tif 000010